(57)【要約】【課題】  ヘッドボックスを取付位置に保持しながら、その取付位置の微調整を容易に行い得る取付ブラケットを提供する。【解決手段】  本体に操作レバー６を回動可能に支持し、操作レバー６に固定片９ａ，９ｂを設け、操作レバー６の回動に基づいて固定片９ａ，９ｂをヘッドボックス１の係止部４ａ，４ｂに係合させることにより該ヘッドボックス１を固定する日射遮蔽装置の取付ブラケットにおいて、操作レバー６は、ヘッドボックス１の係止部４ａ，４ｂを保持しない解除位置と、固定片９ａ，９ｂで係止部４ａ，４ｂを移動可能に保持する仮止め位置と、固定片９ａ，９ｂで係止部４ａ，４ｂを移動不能に保持する固定位置との間で回動可能とし、操作レバー６と本体の少なくともいずれかには、仮止め位置で操作レバー６の回動を規制する第一の回動規制手段１２ａ，１３ａを備えた。【選択図】      図４
2006177034.tif 000002
【特許請求の範囲】
【請求項１】
本体に操作レバーを回動可能に支持し、前記操作レバーに固定片を設け、前記操作レバーの回動に基づいて前記固定片をヘッドボックスの係止部に係合させることにより該ヘッドボックスを固定する日射遮蔽装置の取付ブラケットにおいて、
前記操作レバーは、前記ヘッドボックスの係止部を保持しない解除位置と、前記固定片で前記係止部を移動可能に保持する仮止め位置と、前記固定片で前記係止部を移動不能に保持する固定位置との間で回動可能とし、前記操作レバーと本体の少なくともいずれかには、前記仮止め位置で前記操作レバーの回動を規制する第一の回動規制手段を備えたことを特徴とする日射遮蔽装置の取付ブラケット。
【請求項２】
前記操作レバーと本体との少なくともいずれかには、前記固定位置で前記操作レバーの回動を規制する第二の回動規制手段を備えたことを特徴とする請求項１記載の日射遮蔽装置の取付ブラケット。
【請求項３】
前記第一及び第二の回動規制手段は、前記操作レバーと本体の一方に設けた係止突部と他方に設けた係止凹部とで構成したことを特徴とする請求項２記載の日射遮蔽装置の取付ブラケット。
【請求項４】
前記第一及び第二の回動規制手段は、前記操作レバーの回動軸を中心とする同一円周上に設けたことを特徴とする請求項２又は３のいずれか１項に記載の日射遮蔽装置の取付ブラケット。
【請求項５】
前記係止突部及び係止凹部を２つずつ設けるとともに、それぞれ同一間隔で設けたことを特徴とする請求項３又は４記載の日射遮蔽装置の取付ブラケット。
【請求項６】
前記係止部は、前記ヘッドボックスの両側辺上端部を互いに対向するように屈曲して形成した一対の係止片で構成し、前記固定片は前記解除位置で前記両係止片に係合せず、前記仮止め位置で前記両係止片に係合する長さとしたことを特徴とする請求項１乃至５のいずれかに記載の日射遮蔽装置の取付ブラケット。
【発明の詳細な説明】
【技術分野】
【０００１】
この発明は、横型ブラインド、ロールブラインドあるいはプリーツカーテン等の日射遮蔽装置のヘッドボックスを窓の上枠等の取付面に固定するための取付ブラケットに関するものである。
【背景技術】
【０００２】
横型ブラインド、ロールブラインドあるいはプリーツカーテン等の日射遮蔽装置のヘッドボックスは、通常少なくともその両端部が取付ブラケットを介して取付面に固定される。
【０００３】
取付ブラケットの一種類として、特許文献１に記載された取付ブラケットは、取付面に固定される支持部材に対し、操作レバーが回動可能に支持され、その操作レバーをヘッドボックスの固定位置まで回動操作することにより、ヘッドボックスを取付面に固定可能となっている。
【０００４】
すなわち、操作レバーをヘッドボックスの解除位置に回動した状態で、ヘッドボックスを支持部材にあてがい、その状態で操作レバーをヘッドボックス固定位置まで回動させると、ヘッドボックスが取付面に固定される。
【特許文献１】実公平６−３４５５４号公報
【発明の開示】
【発明が解決しようとする課題】
【０００５】
特許文献１に開示された取付ブラケットでは、操作レバーをヘッドボックスの解除位置に回動した状態では、ヘッドボックスを保持することができないため、作業者がヘッドボックスを保持している必要がある。そして、操作レバーをヘッドボックス固定位置まで回動させると、ヘッドボックスが支持部材に対し移動不能に固定される。
【０００６】
このような構成では、ヘッドボックスの取付作業を一人の作業者で行う際、ヘッドボックスの一端部をまず一端側の取付ブラケットに固定し、次いでヘッドボックスの他端部を他端側の取付ブラケットで固定する必要がある。そして、操作レバーを固定位置まで回動させてヘッドボックスを固定した状態では、ヘッドボックスは取付ブラケットに対し移動不能に固定される。
【０００７】
従って、ヘッドボックスを取付ブラケットで保持しながら、ヘッドボックスを移動させることができないため、ヘッドボックスの取付位置をその長手方向に微調整することができないという問題点がある。
【０００８】
この発明の目的は、ヘッドボックスを取付位置に保持しながら、その取付位置の微調整を容易に行い得る取付ブラケットを提供することにある。
【課題を解決するための手段】
【０００９】
請求項１では、本体に操作レバーを回動可能に支持し、前記操作レバーに固定片を設け、前記操作レバーの回動に基づいて前記固定片をヘッドボックスの係止部に係合させることにより該ヘッドボックスを固定する日射遮蔽装置の取付ブラケットにおいて、前記操作レバーは、前記ヘッドボックスの係止部を保持しない解除位置と、前記固定片で前記係止部を移動可能に保持する仮止め位置と、前記固定片で前記係止部を移動不能に保持する固定位置との間で回動可能とし、前記操作レバーと本体の少なくともいずれかには、前記仮止め位置で前記操作レバーの回動を規制する第一の回動規制手段を備えた。
【００１０】
請求項２では、前記操作レバーと本体との少なくともいずれかには、前記固定位置で前記操作レバーの回動を規制する第二の回動規制手段を備えた。
請求項３では、前記第一及び第二の回動規制手段は、前記操作レバーと本体の一方に設けた係止突部と他方に設けた係止凹部とで構成した。
【００１１】
請求項４では、前記第一及び第二の回動規制手段は、前記操作レバーの回動軸を中心とする同一円周上に設けた。
請求項５では、前記係止突部及び係止凹部を２つずつ設けるとともに、それぞれ同一間隔で設けた。
【００１２】
請求項６では、前記係止部は、前記ヘッドボックスの両側辺上端部を互いに対向するように屈曲して形成した一対の係止片で構成し、前記固定片は前記解除位置で前記両係止片に係合せず、前記仮止め位置で前記両係止片に係合する長さとした。
【発明の効果】
【００１３】
本発明によれば、ヘッドボックスを取付位置に保持しながら、その取付位置の微調整を容易に行い得る取付ブラケットを提供することができる。
【発明を実施するための最良の形態】
【００１４】
以下、この発明を具体化した一実施の形態を図面に従って説明する。図８に示すプリーツカーテンは、ヘッドボックス１が取付ブラケット２により取付面に固定され、同ヘッドボックス１からカーテン生地３が吊下支持される。そして、昇降装置（図示しない）の操作により、カーテン生地３を昇降可能となっている。
【００１５】
前記ヘッドボックス１及び取付ブラケット２の具体的構成を図１に従って説明する。ヘッドボックス１は押出し形材で形成され、その上部は上方に開口する溝状に形成される。また、ヘッドボックス１の両側辺上端部は、互いに対向するように屈曲されて一対の係止片（係止部）４ａ，４ｂが形成されている。
【００１６】
前記取付ブラケット２は、前記ヘッドボックス１の前後幅とほぼ等しい幅の本体５に操作レバー６が回動可能に支持されている。前記本体５の前後方向両側には、下方に向かって折り曲げられた折り曲げ片７ａ，７ｂが形成され、図８に示すように、ヘッドボックス１を取付ブラケット２で固定するとき、折り曲げ片７ａ，７ｂが前記係止片４ａ，４ｂに当接するようになっている。
【００１７】
前記操作レバー６は、その基端部が図３に示す回動軸８を支点として本体５に回動可能に支持され、その基端部には回動軸８を中心として両側に延びる一対の固定片９ａ，９ｂが設けられている。固定片９ａ，９ｂは、互い違いとなる方向に斜状に形成され、その先端部の間隔は、前記ヘッドボックス１の側辺の間隔とほぼ等しい。
【００１８】
また、固定片９ａ，９ｂの上端は、図７に示すように、ヘッドボックス１の上端を前記折り曲げ片７ａ，７ｂに当接させた状態で、固定片９ａ，９ｂの先端を側辺に当接させたとき、係止片４ａ，４ｂに当接するようになっている。
【００１９】
前記操作レバー６の先端部は、その一側が上方へ折り曲げられて、操作片１０が形成され、前記折り曲げ片７ａは操作レバー６の回動軌跡上に位置する部分が切除されている。そして、操作レバー６は図２に示す状態から図４に示す状態までのほぼ９０度の範囲で回動可能となっている。
【００２０】
前記本体５の一側には、前記操作レバー６の下方において水平方向に延びる保持片１１が形成されている。そして、保持片１１の上面には、図２に示すように、上方に向かって突出する２つの係止突部１２ａ，１２ｂが形成されている。この係止突部１２ａ，１２ｂは前記回動軸８を中心とする同一円周上に位置する。
【００２１】
前記操作レバー６の先端部下面には、２つの係止凹部１３ａ，１３ｂが形成されている。その係止凹部１３ａ，１３ｂは前記係止突部１２ａ，１２ｂと同一の円周上に形成されている。そして、係止凹部１３ａ，１３ｂは係止突部１２ａ，１２ｂに弾性的に係脱可能となっている。
【００２２】
従って、操作レバー６を回動すると、図４に示すように、まず係止凹部１３ａが係止突部１２ａに係合する（第一の回動規制手段）。操作レバー６をさらに回動すると、図５に示すように、係止凹部１３ａ，１３ｂが係止突部１２ａ，１２ｂに係合する（第二の回動規制手段）。
【００２３】
前記本体５の中央部には、長孔状の取付孔１４が形成され、この取付孔１４に挿通したネジを取付面に螺入することにより、取付ブラケット２を取付面に固定可能となっている。
【００２４】
さて、上記のように構成された取付ブラケットを使用してヘッドボックス１を取付面に固定するには、まず少なくとも２つの取付ブラケット２を取付面に固定する。次いで、図３及び図６に示すように、操作レバー６を本体５に対し直交する方向（解除位置）に回動し、この状態でヘッドボックス１の係止片４ａ，４ｂが本体５の折り曲げ片７ａ，７ｂに当接するようにあてがい、図４に示すように、操作レバー６をその回動範囲の中間位置（仮止め位置）まで回動する。
【００２５】
すると、係止凹部１３ａが係止突部１２ａに係合して、操作レバー６が保持される。この状態では、図４及び図７に示すように、固定片９ａ，９ｂがヘッドボックス１の係止片４ａ，４ｂの下方に回りこみ、同係止片４ａ，４ｂを支持する状態となる。
【００２６】
すなわち、この状態では取付ブラケット２に対しヘッドボックス１を移動させて、その取付位置をヘッドボックス１の長手方向に微調整可能である。
取付位置の微調整後に、各取付ブラケット２において操作レバー６をさらに回動し、操作レバー６の回動範囲の終点（固定位置）まで回動させると、図５に示すように、係止凹部１３ａ，１３ｂが係止突部１２ａ，１２ｂに係合する。すると、固定片９ａ，９ｂは係止片４ａ，４ｂの内側に当接し、かつ折り曲げ片７ａ，７ｂとの間で係止片４ａ，４ｂを挟着する状態となる。
【００２７】
従って、ヘッドボックス１は取付ブラケット２に固定され、操作レバー６は係止凹部１３ａ，１３ｂと係止突部１２ａ，１２ｂとの係合により、ヘッドボックス固定位置に保持される。
【００２８】
上記のように構成された取付ブラケット２では、次に示す作用効果を得ることができる。
（１）操作レバー６の回動操作により、ヘッドボックス１に取付面に容易に固定することができる。
（２）操作レバー６の回動範囲の中間位置まで回動させて、係止凹部１３ａを係止突部１２ａに係合させると、ヘッドボックス１を仮止めした状態で支持することができる。従って、この状態では、ヘッドボックス１の取付位置をその長手方向に微調整することができる。
（３）複数の取付ブラケット２において、ヘッドボックス１を順次仮止め状態とすれば、一人の作業者でもヘッドボックス１の取付位置の微調整を容易に行うことができる。
（４）係止凹部１３ａ，１３ｂが係止突部１２ａ，１２ｂに係合するまで操作レバー６を回動させることにより、ヘッドボックス１を移動不能に固定することができる。
（５）操作レバー６の解除位置からヘッドボックス固定位置までの回動範囲の中間位置に仮止め位置を設定したので、仮止め位置及びヘッドボックス固定位置の選択を容易に行うことができる。
（６）係止突部１２ａ，１２ｂ及び係止凹部１３ａ，１３ｂを同一円周上に設けたので、仮止め位置では一つずつの係止突部１２ａ及び係止凹部１３ａを係合させ、固定位置では二つずつの係止突部１２ａ，１２ｂ及び係止凹部１３ａ，１３ｂを係合させることができる。従って、固定位置では仮止め位置より操作レバー６を安定して保持することができる。
【００２９】
上記実施の形態は、以下の態様で実施してもよい。
・保持片１１に係止凹部を設け、操作レバー６に係止突部を設けてもよい。
【図面の簡単な説明】
【００３０】
【図１】取付ブラケット及びヘッドボックスを示す斜視図である。
【図２】取付ブラケットの係止凹部及び係止突部を示す断面図である。
【図３】取付ブラケットの動作を示す底面図である。
【図４】取付ブラケットの動作を示す底面図である。
【図５】取付ブラケットの動作を示す底面図である。
【図６】取付ブラケットの動作を示す側面図である。
【図７】取付ブラケットの動作を示す側面図である。
【図８】取付ブラケットの動作を示す側面図である。
【符号の説明】
【００３１】
１          ヘッドボックス
２          取付ブラケット
４ａ，４ｂ      係止部（係止片）
５          本体
６          操作レバー
９ａ，９ｂ        固定片
１２ａ，１２ｂ        第一及び第二の回動規制手段（係止突部）
１３ａ，１３ｂ        第一及び第二の回動規制手段（係止凹部）
【図１】
2006177034.tif 000003
【図２】
2006177034.tif 000004
【図３】
2006177034.tif 000005
【図４】
2006177034.tif 000006
【図５】
2006177034.tif 000007
【図６】
2006177034.tif 000008
【図７】
2006177034.tif 000009
【図８】
2006177034.tif 000010